(57)【要約】【課題】フィルター自動清掃機能を備えた空気調和機において、フィルターに形成されたラックと、これに歯合する歯車とが安定して噛み合い、駆動モータに負荷が掛からないようにした空気調和機を提供することを目的とする。【解決手段】上部ブラシ１３と下部ブラシ１４とを備えたダストボックス１１の上面壁から、第二歯車２０と対向するように、先端部に回動自在な円筒状のローラー１６を軸支したリブ１５を垂下させ、、前記ローラー１６でフィルター１０が移動する際、適宜な押圧力でその上面を押圧する。【選択図】  図４
2005024134.tif 000002
【特許請求の範囲】
【請求項１】
吸込口と吹出口とを備えた本体内に、摺動自在に装着されるフィルターと、同フィルターを清掃する清掃手段と、同清掃手段により除去された塵埃とを貯留するダストボックスとを設けるとともに、前記フィルターを駆動する駆動手段を設けてなる空気調和機において、
前記駆動手段に対向して、前記フィルターを同駆動手段側に押圧する押圧手段を設けてなることを特徴とする空気調和機。
【請求項２】
前記押圧手段が、前記ダストボックスの上面壁から垂下するリブと、同リブの先端に貼着されたシートとからなることを特徴とする請求項１に記載の空気調和機。
【請求項３】
前記押圧手段が、前記ダストボックスの上面壁から垂下するリブと、同リブの先端部に回動自在に軸支されたローラーからなることを特徴とする請求項１に記載の空気調和機。
【発明の詳細な説明】
【０００１】
【発明の属する技術分野】
本発明は、フィルター自動清掃機能を備えた空気調和機に関わり、より詳細には、フィルターに形成されたラックと、同ラックに噛合する歯車との噛合性を向上させた構成に関する。
【０００２】
【従来の技術】
従来の空気調和機は、例えば図６で示すように、本体４０の上面に吸込口４１を、下面前部に風向偏向板を備えた吹出口４２を設け、前記吸込口４１と前記吹出口４２とを結ぶ空気通路に前部熱交換器と後部熱交換器とからなり逆Ｖ字状に形成された熱交換器４３と、同熱交換器４３で熱交換された空気を室内に送出する送風ファン４４とを設けている。
【０００３】
前記吸込口４１の裏面には、吸込まれた空気に含有される塵埃を吸着するフィルター４５が摺動自在且つ着脱自在に装着されており、前記本体４０の前部には前記フィルター４５が通過する通過口を前後に備えたダストボックス４６が設けられている。同ダストボックス４６内にはブラシ４７と、歯車４９と同歯車４９を駆動する駆動モータ４８とが設けられており、同駆動モータ４８により前記歯車４９が回動すると、これに噛合するラックを備えた前記フィルター４５が前後に移動するようになっている。表面に塵埃が蓄積した際は、前記駆動モータ４８により前記フィルター４５を前記本体４０の前方に牽引する。これにより蓄積した塵埃は前記ブラシ４７により捕獲、補集されるとともに、前記ダストボックス４６内に貯留されるようになっている。この後、前記駆動モータ４８を逆転させ前記フィルター４５を前記吸込口４１の裏面に再び格納する。
【０００４】
しかしながら、前記歯車４９と前記フィルター４５に形成されたラックとの噛み具合に不都合が生じると、前記駆動モータ４８に過剰な負荷が掛かったり、あるいは前記フィルター４５の摺動に支障が生じる虞があった。
【０００５】
【発明が解決しようとする課題】
本発明は上記問題点に鑑み、摺動自在に設けられたフィルターが支障を生じることなく移動できるとともに、駆動モータへの負荷を低減するダストボックスを備えた空気調和機を提供することを目的とする。
【０００６】
【課題を解決するための手段】
本発明は上記課題を解決するため、吸込口と吹出口とを備えた本体内に、摺動自在に装着されるフィルターと、同フィルターを清掃する清掃手段と、同清掃手段により除去された塵埃とを貯留するダストボックスとを設けるとともに、前記フィルターを駆動する駆動手段を設けてなる空気調和機において、
前記駆動手段に対向して、前記フィルターを同駆動手段側に押圧する押圧手段を設けてなる構成となっている。
【０００７】
また、前記押圧手段が、前記ダストボックスの上面壁から垂下するリブと、同リブの先端に貼着されたシートとからなる構成となっている。
【０００８】
また、前記押圧手段が、前記ダストボックスの上面壁から垂下するリブと、同リブの先端部に回動自在に軸支されたローラーからなる構成となっている。
【０００９】
【発明の実施の形態】
以下、本発明の実施の形態を、添付図面に基づいた実施例として詳細に説明する。
図１は本発明による空気調和機がフィルターを前面に引き出した状態を示す斜視図であり、図２は本体の断面図である。図３はフィルターを示す斜視図であり、図４及び図５はダクトボックスの断面図である。
本発明による空気調和機は、図１及び図２で示すように、壁面に据付けられるベース１と、同ベース１の上方前部に装着され前端から後端近傍に至り吸込口４を形成した上部パネル３と、下方前部に装着され複数の風向偏向板５ａを備える吹出口５を形成した下部パネル２とで本体を構成している。
【００１０】
前記吸込口４と前記吹出口５とを結ぶ空気通路には後方に傾斜した前部熱交換器６ａと前方に傾斜した後部熱交換器６ｂとからなり逆Ｖ字状に形成された熱交換器６と、同熱交換器６により熱交換された空気を室内に送出する送風ファン７とが設けられ、又前記前部熱交換器６ａと前記後部熱交換器６ｂの下方には、これらから滴下する凝縮水を受ける露受皿８が設けられている。
【００１１】
前記吸込口４の裏面には、吸込まれた空気に含有される塵埃を吸着するフィルター１０が本体内に設けられたガイドにより前後摺動自在に装着され、本体の内部前方には前記フィルター１０が通過する通過口を前後に備えたダストボックス１１が設けられている。又その下部には前記フィルター１０を本体の前面側に引出すとともに、同本体内に自動的に収納する駆動装置１２が設けられており、前記上部パネル３の前端と前記下部パネル２の前端との間には、前記フィルター１０が本体前面に挿脱自在となるようにスリット状の挿脱口９が形成されている。
【００１２】
前記フィルター１０は、図３の裏面側からの斜視図で示すように、中央に摺動方向に沿って桟を形成し、両側縁に前記本体に形成されたガイドに案内されるレール１０ｄを形成した軟質樹脂材からなる薄肉状の枠体１０ａと、同枠体１０ａ内に一体となって樹脂成型された左右一対の網部１０ｂとからなり、前記桟には、直線上に歯型を連続的に形成したラック１０ｃが形成されている。
【００１３】
前記ダストボックス１１は、図４で示すように、上下に２分割された上部ボックス１１ａと下部ボックス１１ｂとからなり、これらの接合部前端と後端には前記フィルター１０が通過するスリット状の通過口１１ｃ及び１１ｄが形成されている。前記上部ボックス１１ａの上面壁からはスプリング１３ａに支承される上部ブラシ１３が垂下しており、前記下部ボックス１１ｂの下面壁からは前記上部ブラシ１３に対向してスプリング１４ａに支承される下部ブラシ１４が設けられている。
【００１４】
前記ダストボックス１１の下部には、方形状の筐体に覆われて駆動装置１２が設けられており、同駆動装置１２は前記筐体内に固定され、回転軸にピニオン歯車１８を嵌着した駆動モータ１７と、前記ピニオン歯車１８に噛合する大径の第一歯車１９と、同第一歯車１９に噛合するとともに、前記フィルター１０に形成されたラック１０ｃと噛合する小径の第二歯車２０とから構成されている。
【００１５】
前記上部ボックス１１ａの前記上部ブラシ１３の後方となる上面壁からは、前記第二歯車２０と対向するように、先端が先細となるリブ１５が垂下しており、その先端部には回動自在な円筒状のローラー１６が軸支されている。同ローラー１６は適宜な押圧力で前記フィルター１０の上面を押圧するようになっている。
【００１６】
次に、動作について説明する。前記フィルター１０の表面及び裏面に塵埃が堆積した際は、同フィルター１０を前方へ移動させ、前記ダストボックス１１によりその清掃を行う。前記駆動モータ１７が始動すると、前記ピニオン歯車１８に噛合する第一歯車１９及び第二歯車２０が回転駆動され、同第二歯車２０に噛合するラック１０ｃにより前記フィルター１０が前方に向かい移動する。同フィルター１０が移動すると、その裏面に付着した塵埃は前記上部ブラシ１３及び前記下部ブラシ１４と接触することによりかき採られ、前記ダストボックス１１内に貯留されるようになっている。
【００１７】
前記フィルター１０が移動すると、その上面を前記ローラー１６が適宜な押圧力で押圧することにより、前記第二歯車２０と前記ラック１０ｃとが適正な噛み合い力あるいは接触力で噛合し、前記フィルター１０が円滑に移動できる一方、前記駆動モータ１７に余分な負荷が掛かることを抑制するようになっている。
【００１８】
他の実施例として、図５で示すように、前記ローラー１６に替わり、リブ２１の先端部に、表面に無数の植毛を施した厚でのシート２２を貼着し、同シートで前記フィルター１０の上面を抑えることにより、前記フィルター１０への摩擦力を極力低減させながら、前記第二歯車２０と前記ラック１０ｃとが安定して噛合させることができるようになっている。
【００１９】
【発明の効果】
以上説明したように、本発明によると、ダストボックス内に、フィルターを駆動する歯車に対向して、リブの先端部に軸支されたローラー又は無数の植毛を施し、リブの先端部に貼着されたシートを設けることにより、フィルターのラックとこれに噛合する前記歯車とが安定して噛み合い、円滑なフィルターの摺動を行うことができる空気調和機とすることができる。
【図面の簡単な説明】
【図１】本発明による空気調和機を示す外観斜視図である。
【図２】本発明による空気調和機の断面図である。
【図３】フィルターの裏面からの斜視図である。
【図４】ダストボックスを示す断面図である。
【図５】他の実施例によるダストボックスを示す断面図である。
【図６】従来例による空気調和機を示す断面図である。
【符号の説明】
１  ベース
２  下部パネル
３  上部パネル
４  吸込口
５  吹出口
５ａ  風向偏向板
６  熱交換器
６ａ  前部熱交換器
６ｂ  後部熱交換器
７  送風ファン
８  露受皿
９  挿脱口
１０  フィルター
１０ａ  枠体
１０ｂ  網部
１０ｃ  ラック
１０ｄ  レール
１１  ダストボックス
１１ａ  上部ボックス
１１ｂ  下部ボックス
１１ｃ、１１ｄ  通過口
１２  駆動装置
１３  上部ブラシ
１３ａ  スプリング
１４  下部ブラシ
１４ａ  スプリング
１５  リブ
１６  ローラー
１７  駆動モータ
１８ピニオン歯車
１９  第一歯車
２０  第二歯車
２１  リブ
２２  シート
【図１】
2005024134.tif 000003
【図２】
2005024134.tif 000004
【図３】
2005024134.tif 000005
【図４】
2005024134.tif 000006
【図５】
2005024134.tif 000007
【図６】
2005024134.tif 000008